(57)【要約】  利用者の状況を推定するための情報が格納された状況推定データベース（１１１）を有する端末（１０１）にて、撮影部（１０４）を用いて写真を撮影した際の状況が状況推定データベース（１１１）に基づいて推定され、推定された状況に応じた選択形式の質問が質問データベース（１０３）から抽出され、抽出された質問が表示され、表示された質問に対して利用者が入力した回答と写真とが対応付けられた記録データが記録データベース（１０２）に格納される。
2007145008.tif 000002
【特許請求の範囲】
【請求項１】
写真を撮影するための撮影部を有する端末と、該端末を所持する利用者への質問が格納された質問データベースとを有してなるデータ記録システムにおいて、
前記端末は、前記利用者の状況を推定するための情報が格納された状況推定データベースを有し、前記利用者が前記撮影部を用いて写真を撮影した際の状況を前記状況推定データベースに基づいて推定し、前記質問データベースから前記推定された状況に応じた選択形式の質問を抽出し、前記抽出された質問を表示し、前記表示された質問に対して前記利用者が入力した回答と前記写真とを対応付けて格納することを特徴とするデータ記録システム。
【請求項２】
請求項１に記載のデータ記録システムにおいて、
記録データベースを有し、
前記端末は、前記表示された質問に対して前記利用者が入力した回答と前記写真とを対応付けて記録データベースに格納することを特徴とするデータ記録システム。
【請求項３】
請求項１または請求項２に記載のデータ記録システムにおいて、
前記端末は、時間情報に基づいて、前記利用者が前記撮影部を用いて写真を撮影した際の状況を推定することを特徴とするデータ記録システム。
【請求項４】
請求項１または請求項２に記載のデータ記録システムにおいて、
前記端末は、前記利用者のスケジュール情報を予め記憶し、該スケジュール情報と時間情報とに基づいて、前記利用者が前記撮影部を用いて写真を撮影した際の状況を推定することを特徴とするデータ記録システム。
【請求項５】
請求項１乃至４のいずれか１項に記載のデータ記録システムにおいて、
前記端末は、該端末の位置情報に基づいて、前記利用者が前記撮影部を用いて写真を撮影した際の状況を推定することを特徴とするデータ記録システム。
【請求項６】
請求項５に記載のデータ記録システムにおいて、
前記端末は、ＧＰＳにより測定された位置情報に基づいて、前記利用者が前記撮影部を用いて写真を撮影した際の状況を推定することを特徴とするデータ記録システム。
【請求項７】
請求項５に記載のデータ記録システムにおいて、
前記端末は、該端末が通信を行う基地局情報によって算出された位置情報に基づいて、前記利用者が前記撮影部を用いて写真を撮影した際の状況を推定することを特徴とするデータ記録システム。
【請求項８】
請求項１乃至４のいずれか１項に記載のデータ記録システムにおいて、
前記端末は、ＲＦタグを有し、該ＲＦタグに書き込まれた情報に基づいて、前記利用者が前記撮影部を用いて写真を撮影した際の状況を推定することを特徴とするデータ記録システム。
【請求項９】
請求項１乃至８のいずれか１項に記載のデータ記録システムにおいて、
前記端末は、前記写真が撮影された直後に前記質問を表示することを特徴とするデータ記録システム。
【請求項１０】
請求項１乃至９のいずれか１項に記載のデータ記録システムにおいて、
前記端末は、前記利用者が音声によって回答を入力した場合、当該音声が入力される音声入力部を有することを特徴とするデータ記録システム。
【請求項１１】
請求項１乃至１０のいずれか１項に記載のデータ記録システムにおいて、
前記端末は、前記利用者の状況を推定し、前記推定された状況に基づいて前記撮影部によって写真を撮影する旨を提案することを特徴とするデータ記録システム。
【請求項１２】
請求項１乃至１１のいずれか１項に記載のデータ記録システムにおいて、
前記端末は、前記質問データベースを有することを特徴とするデータ記録システム。
【請求項１３】
利用者への質問が格納された質問データベースに接続可能に構成され、写真を撮影するための撮影部を有する端末であって、
前記利用者の状況を推定するための情報が格納された状況推定データベースを有し、前記利用者が前記撮影部を用いて写真を撮影した際の状況を前記状況推定データベースに基づいて推定し、前記質問データベースから前記推定された状況に応じた選択形式の質問を抽出し、前記抽出された質問を表示し、前記表示された質問に対して前記利用者が入力した回答と前記写真とを対応付けて格納する端末。
【請求項１４】
請求項１３に記載の端末において、
時間情報に基づいて、前記利用者が前記撮影部を用いて写真を撮影した際の状況を推定することを特徴とする端末。
【請求項１５】
請求項１３に記載の端末において、
前記利用者のスケジュール情報を予め記憶し、該スケジュール情報と時間情報とに基づいて、前記利用者が前記撮影部を用いて写真を撮影した際の状況を推定することを特徴とする端末。
【請求項１６】
請求項１３乃至１５のいずれか１項に記載の端末において、
該端末の位置情報に基づいて、前記利用者が前記撮影部を用いて写真を撮影した際の状況を推定することを特徴とする端末。
【請求項１７】
請求項１６に記載の端末において、
ＧＰＳにより測定された位置情報に基づいて、前記利用者が前記撮影部を用いて写真を撮影した際の状況を推定することを特徴とする端末。
【請求項１８】
請求項１６に記載の端末において、
該端末が通信を行う基地局情報によって算出された位置情報に基づいて、前記利用者が前記撮影部を用いて写真を撮影した際の状況を推定することを特徴とする端末。
【請求項１９】
請求項１３乃至１５のいずれか１項に記載の端末において、
ＲＦタグを有し、該ＲＦタグに書き込まれた情報に基づいて、前記利用者が前記撮影部を用いて写真を撮影した際の状況を推定することを特徴とする端末。
【請求項２０】
請求項１３乃至１９のいずれか１項に記載の端末において、
前記写真が撮影された直後に前記質問を表示することを特徴とする端末。
【請求項２１】
請求項１３乃至２０いずれか１項に記載の端末において、
前記利用者が音声によって回答を入力した場合、当該音声が入力される音声入力部を有することを特徴とする端末。
【請求項２２】
請求項１３乃至２１いずれか１項に記載の端末において、
前記利用者の状況を推定し、前記推定された状況に基づいて前記撮影部によって写真を撮影する旨を提案することを特徴とする端末。
【請求項２３】
請求項１３乃至２２いずれか１項に記載の端末において、
前記質問データベースを有することを特徴とする端末。
【請求項２４】
写真を撮影するための撮影部を有する端末と、該端末を所持する利用者への質問が格納された質問データベースとを有してなるデータ記録システムにおけるデータ記録方法であって、
前記端末が、前記利用者が前記撮影部を用いて写真を撮影した際の状況を推定する処理と、
前記端末が、前記質問データベースから前記推定された状況に応じた選択形式の質問を抽出する処理と、
前記端末が、前記抽出された質問を表示する処理と、
前記端末が、前記表示された質問に対して前記利用者が入力した回答と前記写真とを対応付けて格納する処理とを有するデータ記録方法。
【請求項２５】
請求項２４に記載のデータ記録方法において、
前記端末が、時間情報に基づいて、前記利用者が前記撮影部を用いて写真を撮影した際の状況を推定する処理を有することを特徴とするデータ記録方法。
【請求項２６】
請求項２４に記載のデータ記録方法において、
前記端末が、予め記憶された前記利用者のスケジュール情報と時間情報とに基づいて、前記利用者が前記撮影部を用いて写真を撮影した際の状況を推定する処理を有することを特徴とするデータ記録方法。
【請求項２７】
請求項２４乃至２６のいずれか１項に記載のデータ記録方法において、
前記端末が、該端末の位置情報に基づいて、前記利用者が前記撮影部を用いて写真を撮影した際の状況を推定する処理を有することを特徴とするデータ記録方法。
【発明の詳細な説明】
【技術分野】
【０００１】
本発明は、端末を用いて撮影した写真データに、他の情報を対応付けて記録するデータ記録システム、端末及びデータ記録方法に関する。
【背景技術】
【０００２】
従来より、ユーザが参照して楽しむことができる記録文書を作成するために、様々な情報処理装置が考えられている（例えば、特許公開２００２−２５９１６５号公報参照。）。【０００３】
図１は、従来の情報処理装置の一例を示す図である。【０００４】
図１に示した従来の情報処理装置９０１は、キャラクタ表示手段９０３と、質問手段９０２と、回答記憶手段９０５と、フォーム記憶手段９０６と、文書作成手段９０４と、文書記憶手段９０７とから構成されている。キャラクタ表示手段９０３は、仮想的な人格を持つキャラクタの画像を画面に表示させる。質問手段９０２は、所定の質問を前記キャラクタが情報処理装置９０１の利用者に話しかける態様で出力し、利用者に質問に対する回答の入力を促す。回答記憶手段９０５は、利用者から入力された回答に係る回答情報を記憶する。フォーム記憶手段９０６は、前記キャラクタが一人称で記載した文体を持つ記録文書のフォームを記憶する。文書作成手段９０４は、前記フォームと前記回答情報を組み合わせることにより、所定期間に対応する記録文書を作成する。文書記憶手段９０７は、作成された記録文書を記憶する。【０００５】
図１に示した情報処理装置９０１の処理について、以下に説明する。【０００６】
情報処理装置９０１のキャラクタ表示手段９０３によって表示されたキャラクタが質問手段９０２によって質問をし、利用者がキャラクタからの質問に対する回答を入力すると、その回答を含んだ記録文書が、文書作成手段９０４によってキャラクタが一人称で記載した場合の文体で作成される。記録文書は、キャラクタが一人称で記載した場合の文体を持つため、キャラクタの仮想的な人格が反映された文章となり、記録文書にユーザの回答が組み込まれることで、キャラクタが利用者を観察した状態の記録文書が作成される。これによって、利用者は、記録文書を、自身が記録文書を作成する場合に比べて興味をもって参照することができる。【０００７】
また、同様に文章を作成するものとして、日記の作成を支援するための日記作成支援装置が考えられている（例えば、特許公開２００２−２１５６１１号公報参照。）。この日記作成支援装置は、位置情報取得手段と、定形文格納手段と、判定手段と、読み出し手段と、起動手段とを有する構成を特徴としている。位置情報取得手段は、ユーザの所在地を時間軸に沿って記録した位置情報を取得する。定形文格納手段には、所定の行動パターンとこれに対応づけられた定形文との組み合わせが１組以上格納されている。判定手段は、前記位置情報取得部が取得した位置情報を解析し、その解析結果をもとにユーザの行動が前記所定の行動パターンのいずれかに一致するか否かを判定する。読み出し手段は、前記判定手段によって、ユーザの行動が所定の行動パターンのいずれかに一致すると判定された場合に、一致すると判定された所定の行動パターンに対応づけられた定形文を前記定形文格納手段から読み出す。起動手段は、ユーザが日記作成に用いる文書作成装置を、前記読み出し手段が読み出した定形文を表示した形で起動させる。【０００８】
このような構成を有する日記作成支援装置は、以下のように動作する。日記作成対象日におけるユーザの移動の軌跡に基づいて当日のユーザの行動パターンを得て、当該パターンに対応する定形文を表示した形で、ワードプロセッサなどの文書作成装置を起動させることができる。ユーザは、起動時に表示される定形文から当日のおおよその行動を把握でき、定形文に記述を追加する形で日記を作成することができる。そのため、書き出しに困って日記の作成を負担に感ずるといった事態は起こりにくくなり、しかも、当日の行動を正しく示す内容が予め表示されている。そのため、たとえ、数日前の日記を作成する場合でも、実際の行動と異なる不正確な記述をしてしまうおそれは小さくなる。【０００９】
また、従来のカメラ機能つき携帯電話端末装置にて撮影されて送信され、サーバ装置にて受信されて保存された画像に、臨場感豊かな文章を付加情報として簡単に付加できる付加情報付き画像作成保存システムが考えられている（例えば、特許公開２００４−２９７５７６号公報参照。）。この付加情報付き画像作成保存システムは、携帯電話端末装置と、サーバ装置とを具備する構成としている。携帯電話端末装置は、カメラ機能を搭載し、このカメラ機能で撮影された画像を送信可能で、かつ音声情報を入力して送信可能な端末装置である。サーバ装置は、この携帯電話端末装置から送信された画像及び音声情報を網を介して受信して、画像を記憶部に保存する。また、音声情報を、当該携帯電話端末装置に搭載された音声認識機能により文字情報に変換してその文字情報を画像の付加情報として記憶部に保存する。【００１０】
また、ロボットが行った作業に関して、作業後に当該ロボットが利用者からアンケートを収集し、データとして記憶する方法が考えられている（例えば、特許公開２００３−３４０７５７号公報参照。）。【００１１】
さらに、作業者の作業状況を撮影することにより監視し、監視された状況に応じた次の工程を作業者に指示するために次の工程に関する情報を作業者へ送信する方法が考えられている（例えば、特許公開２００３−２８１２９７号公報参照。）。【００１２】
しかしながら、特許公開２００２−２５９１６５号公報及び特許公開２００３−３４０７５７号公報に記載された装置においては、質問内容やアンケートの内容が利用者の状況を考慮したものではなく、画一的な質問である。そのため、利用者が状況に適していない質問に対する回答をすることにより回答が煩わしくなってしまうという問題点がある。【００１３】
また、特許公開２００２−２１５６１１号公報に記載された装置においては、ワードプロセッサでの定型文の提示に対して、入力する内容をユーザ自身が作成しなければならないという問題点がある。また、利用者の位置情報の履歴を取得、分析した後でないと、その日に行った場所などを記載した日記の定型文が出力できない。また、利用者が記録をしたい場面ですぐに記録ができない。そのため、利用者が記録を取りたいと思うような場面では記録ができないという問題点がある。【００１４】
また、特許公開２００４−２９７５７６号公報に記載されたシステムにおいては、入力された音声を文章に変換しなければならないという問題点がある。【００１５】
さらに、特許公開２００３−２８１２９７号公報に記載された方法においては、作業者と作業者へ指示を行う情報提示装置との間にてやり取りされる情報が一方向のものであり、双方向で情報が送受信されるものではなく、また当該情報は記憶されるものではない。
【発明の開示】
【００１６】
本発明は、上述した課題を解決するため、撮影された写真に情報を容易に付加することができるデータ記録システム、端末及びデータ記録方法を提供することを目的とする。
【００１７】
上記目的を達成するために本発明は、
写真を撮影するための撮影部を有する端末と、該端末を所持する利用者への質問が格納された質問データベースとを有してなるデータ記録システムにおいて、
前記端末は、前記利用者の状況を推定するための情報が格納された状況推定データベースを有し、前記利用者が前記撮影部を用いて写真を撮影した際の状況を前記状況推定データベースに基づいて推定し、前記質問データベースから前記推定された状況に応じた選択形式の質問を抽出し、前記抽出された質問を表示し、前記表示された質問に対して前記利用者が入力した回答と前記写真とを対応付けて格納することを特徴とする。
【００１８】
また、記録データベースを有し、
前記端末は、前記表示された質問に対して前記利用者が入力した回答と前記写真とを対応付けて記録データベースに格納することを特徴とする。
【００１９】
また、前記端末は、時間情報に基づいて、前記利用者が前記撮影部を用いて写真を撮影した際の状況を推定することを特徴とする。
【００２０】
また、前記端末は、前記利用者のスケジュール情報を予め記憶し、該スケジュール情報と時間情報とに基づいて、前記利用者が前記撮影部を用いて写真を撮影した際の状況を推定することを特徴とする。
【００２１】
また、前記端末は、該端末の位置情報に基づいて、前記利用者が前記撮影部を用いて写真を撮影した際の状況を推定することを特徴とする。
【００２２】
また、前記端末は、ＧＰＳにより測定された位置情報に基づいて、前記利用者が前記撮影部を用いて写真を撮影した際の状況を推定することを特徴とする。
【００２３】
また、前記端末は、該端末が通信を行う基地局情報によって算出された位置情報に基づいて、前記利用者が前記撮影部を用いて写真を撮影した際の状況を推定することを特徴とする。
【００２４】
また、前記端末は、ＲＦタグを有し、該ＲＦタグに書き込まれた情報に基づいて、前記利用者が前記撮影部を用いて写真を撮影した際の状況を推定することを特徴とする。
【００２５】
また、前記端末は、前記写真が撮影された直後に前記質問を表示することを特徴とする。
【００２６】
また、前記端末は、前記利用者が音声によって回答を入力した場合、当該音声が入力される音声入力部を有することを特徴とする。
【００２７】
また、前記端末は、前記利用者の状況を推定し、前記推定された状況に基づいて前記撮影部によって写真を撮影する旨を提案することを特徴とする。
【００２８】
また、前記端末は、前記質問データベースを有することを特徴とする。
【００２９】
また、利用者への質問が格納された質問データベースに接続可能に構成され、写真を撮影するための撮影部を有する端末であって、
前記利用者の状況を推定するための情報が格納された状況推定データベースを有し、前記利用者が前記撮影部を用いて写真を撮影した際の状況を前記状況推定データベースに基づいて推定し、前記質問データベースから前記推定された状況に応じた選択形式の質問を抽出し、前記抽出された質問を表示し、前記表示された質問に対して前記利用者が入力した回答と前記写真とを対応付けて格納する。
【００３０】
また、時間情報に基づいて、前記利用者が前記撮影部を用いて写真を撮影した際の状況を推定することを特徴とする。
【００３１】
また、前記利用者のスケジュール情報を予め記憶し、該スケジュール情報と時間情報とに基づいて、前記利用者が前記撮影部を用いて写真を撮影した際の状況を推定することを特徴とする。
【００３２】
また、該端末の位置情報に基づいて、前記利用者が前記撮影部を用いて写真を撮影した際の状況を推定することを特徴とする。
【００３３】
また、ＧＰＳにより測定された位置情報に基づいて、前記利用者が前記撮影部を用いて写真を撮影した際の状況を推定することを特徴とする。
【００３４】
また、該端末が通信を行う基地局情報によって算出された位置情報に基づいて、前記利用者が前記撮影部を用いて写真を撮影した際の状況を推定することを特徴とする。
【００３５】
また、ＲＦタグを有し、該ＲＦタグに書き込まれた情報に基づいて、前記利用者が前記撮影部を用いて写真を撮影した際の状況を推定することを特徴とする。
【００３６】
また、前記写真が撮影された直後に前記質問を表示することを特徴とする。
【００３７】
また、前記利用者が音声によって回答を入力した場合、当該音声が入力される音声入力部を有することを特徴とする。
【００３８】
また、前記利用者の状況を推定し、前記推定された状況に基づいて前記撮影部によって写真を撮影する旨を提案することを特徴とする。
【００３９】
また、前記質問データベースを有することを特徴とする。
【００４０】
また、写真を撮影するための撮影部を有する端末と、該端末を所持する利用者への質問が格納された質問データベースとを有してなるデータ記録システムにおけるデータ記録方法であって、
前記端末が、前記利用者が前記撮影部を用いて写真を撮影した際の状況を推定する処理と、
前記端末が、前記質問データベースから前記推定された状況に応じた選択形式の質問を抽出する処理と、
前記端末が、前記抽出された質問を表示する処理と、
前記端末が、前記表示された質問に対して前記利用者が入力した回答と前記写真とを対応付けて格納する処理とを有する。
【００４１】
また、前記端末が、時間情報に基づいて、前記利用者が前記撮影部を用いて写真を撮影した際の状況を推定する処理を有することを特徴とする。
【００４２】
また、前記端末が、予め記憶された前記利用者のスケジュール情報と時間情報とに基づいて、前記利用者が前記撮影部を用いて写真を撮影した際の状況を推定する処理を有することを特徴とする。
【００４３】
また、前記端末が、該端末の位置情報に基づいて、前記利用者が前記撮影部を用いて写真を撮影した際の状況を推定する処理を有することを特徴とする。
【００４４】
上記のように構成された本発明においては、利用者の状況を推定するための情報が格納された状況推定データベースを有する端末にて、撮影部を用いて写真を撮影した際の状況が状況推定データベースに基づいて推定され、推定された状況に応じた選択形式の質問が質問データベースから抽出され、抽出された質問が表示され、表示された質問に対して利用者が入力した回答と写真とが対応付けられて格納される。
【００４５】
これにより、撮影された写真に関する感想を選択式に入力するだけで記録されるデータが作成される。
【００４６】
以上説明したように本発明においては、利用者の状況を推定するための情報が格納された状況推定データベースを有する端末にて、撮影部を用いて写真を撮影した際の状況を状況推定データベースに基づいて推定し、推定された状況に応じた選択形式の質問を質問データベースから抽出し、抽出された質問を表示し、表示された質問に対して利用者が入力した回答と写真とを対応付けて格納する構成としたため、撮影された写真に情報を容易に付加することができる。
【図面の簡単な説明】
【００４７】
【図１】従来の情報処理装置の一例を示す図である。
【図２】本発明のデータ記録システムの第１の実施の形態を示す図である。
【図３】図２に示したデータ記録システムにおけるデータ記録方法を説明するためのフローチャートである。
【図４】図２に示した状況推定データベースに予め格納された利用者状況推定ルールリストの一例を示す図である。
【図５】図２に示した質問データベースに予め格納された質問リストの一例を示す図である。
【図６】本発明のデータ記録システムの第２の実施の形態を示す図である。
【図７】本発明のデータ記録システムの第３の実施の形態を示す図である。
【図８】図７に示した第３の実施の形態におけるデータ記録方法を説明するためのフローチャートである。
【図９】図７に示した提案データベースに予め格納された提案リストの一例を示す図である。
【発明を実施するための最良の形態】
【００４８】
以下に、本発明の実施の形態について図面を参照して説明する。
（第１の実施の形態）
図２は、本発明のデータ記録システムの第１の実施の形態を示す図である。【００４９】
本形態は図２に示すように、端末１０１と、記録データベース１０２と、質問データベース１０３とから構成されている。端末１０１は、写真を撮影するための撮影機能付きであり、本システムを利用する利用者が所持する端末である。記録データベース１０２は、端末１０１にて撮影された写真のデータと、端末１０１にて入力された情報とを格納するデータベースである。質問データベース１０３は、端末１０１を所持する利用者への質問が格納されているデータベースである。【００５０】
また、端末１０１は、撮影部１０４と、記録データ作成部１０５と、入力部１０６と、センサ部１０７と、状況推定部１０８と、質問抽出部１０９と、表示部１１０と、状況推定データベース１１１とから構成されている。撮影部１０４は、写真を撮影する。記録データ作成部１０５は、記録データベース１０２に格納される記録データを作成する。入力部１０６は、端末１０１を所持する利用者によって情報が入力される。センサ部１０７は、端末１０１を所持する利用者の状況を推定するためのセンサを有する。状況推定部１０８は、センサ部１０７にて認識された情報に基づいて端末１０１を所持する利用者の状況を推定する。質問抽出部１０９は、状況推定部１０８にて推定された端末１０１を所持する利用者の状況に基づいて質問データベース１０３から質問を抽出する。表示部１１０は、質問抽出部１０９にて抽出された質問を表示する。状況推定データベース１１１は、端末１０１を所持する利用者の推定状況を格納する。なお、質問データベース１０３は、端末１０１に含まれていても良い。また、入力部１０６は、音声による入力が可能な音声入力手段であっても良い。また、図２に示した端末１０１の構成は、本発明に関する構成要素のみを示す。【００５１】
さらに、センサ部１０７は、位置認識部１１２と、時間認識部１１３と、ＲＦタグ１１４とから構成されている。位置認識部１１２は、端末１０１が存在する位置を認識する。時間認識部１１３は、現在の時刻を認識する時計である。ＲＦタグ１１４は、情報が書き込まれるタグである。ここで、位置認識部１１２は、具体的にはＧＰＳによる位置計測により取得する。または、端末１０１に通信手段が設けられている場合は、端末１０１が通信している基地局の情報からも位置情報を計測することができる。通信の形式としては、ＢｌｕｅｔｏｏｔｈやＩＥＥＥ８０２．１１ｂ、ＣＤＭＡ、ＰＨＳなどさまざまな形態で構成可能である。【００５２】
以下に、図２に示したデータ記録システムにおけるデータ記録方法について説明する。【００５３】
図３は、図２に示したデータ記録システムにおけるデータ記録方法を説明するためのフローチャートである。【００５４】
まず、ステップ１にて利用者によって端末１０１の撮影部１０４を用いて写真が撮影されると、ステップ２にて状況推定部１０８において端末１０１を所持する利用者の状況が推定される。このとき、状況推定部１０８によってセンサ部１０７にて認識された端末１０１の状況に基づいて状況推定データベース１１１が参照され、状況推定データベース１１１に予め格納されている利用者状況推定ルールにしたがって、端末１０１を所持する利用者の状況が推定される。【００５５】
図４は、図２に示した状況推定データベース１１１に予め格納された利用者状況推定ルールリストの一例を示す図である。【００５６】
図２に示した状況推定データベース１１１に格納された利用者状況推定ルールリストは図４に示すように、推定ルールと利用者状況とがそれぞれ対応付けられている。例えば、センサ部１０７の時間認識部１１３にて、現在の時刻が１２時から１３時であると認識された場合、時間が１２時から１３時である推定ルールと昼休みである利用者状況とが対応付けられているため、利用者状況は昼休みであると推定される。また、時間認識部１１３にて、現在の時刻が０時から５時であると認識された場合、時間が０時から５時である推定ルールと就寝中である利用者状況とが対応付けられているため、利用者状況は就寝中であると推定される。また、位置認識部１１２にて、端末１０１の現在の居場所が観光スポットであると認識された場合、位置情報が観光スポットである推定ルールと観光中である利用者状況とが対応付けられているため、利用者状況は観光中であると推定される。また、位置認識部１１２にて、端末１０１の現在の居場所がショッピングセンター内であると認識された場合、位置情報がショッピングセンターである推定ルールと買い物中である利用者状況とが対応付けられているため、利用者状況は買い物中であると推定される。また、位置認識部１１２にて、端末１０１の現在の居場所が飲食店内であると認識された場合、位置情報が飲食店内である推定ルールと食事中である利用者状況とが対応付けられているため、利用者状況は食事中であると推定される。また、ＲＦタグ１１４にＲＦタグ１１４を利用して食券を購入した情報が書き込まれている場合、ＲＦタグを利用して食券を購入という推定ルールと食事中である利用者状況とが対応付けられているため、利用者状況は食事中であると推定される。また、ＲＦタグ１１４にＲＦタグ１１４を利用して電車の乗車券を購入した情報が書き込まれている場合、ＲＦタグを利用して電車に乗車という推定ルールと電車移動中である利用者状況とが対応付けられているため、利用者状況は電車にて移動中であると推定される。【００５７】
そして、推定された利用者状況に基づいて質問抽出部１０９によって質問データベース１０３から質問がステップ３にて抽出される。【００５８】
図５は、図２に示した質問データベース１０３に予め格納された質問リストの一例を示す図である。なお、図２に示した質問データベース１０３に予め格納された質問リストは選択形式である。【００５９】
図２に示した質問データベース１０３に格納された質問リストは図５に示すように、利用者状況と質問である回答選択肢とがそれぞれ対応付けられている。例えば、状況推定部１０８にて推定された利用者状況が昼休みである場合の質問は、昼休みである利用者状況に対応付けられた「おいしい？」、「まずい？」及び「楽しい？」の選択形式の質問が抽出される。また、状況推定部１０８にて推定された利用者状況が食事中である場合の質問は、食事中である利用者状況に対応付けられた「おいしい？」、「まずい？」及び「きれい？」の選択形式の質問が抽出される。また、状況推定部１０８にて推定された利用者状況が就寝中である場合の質問は、就寝中である利用者状況に対応付けられた「よく眠れた？」及び「眠れない？」の選択形式の質問が抽出される。また、状況推定部１０８にて推定された利用者状況が観光中である場合の質問は、観光中である利用者状況に対応付けられた「楽しい？」、「退屈？」、「きれい？」及び「もう一度来たい？」の選択形式の質問が抽出される。【００６０】
ここで、選択形式とは、抽出された複数の質問のうち、１つあるいは複数を選択して回答する形式であると定義する。【００６１】
質問抽出部１０９によって質問データベース１０３から質問が抽出されると、抽出された質問がステップ４にて表示部１１０に表示される。質問が表示部１１０に表示されるタイミングは、任意のタイミングとして予め設定することができる。例えば、利用者状況が就寝中である場合、質問が表示部１１０に表示されるのは起床後となるように設定することができる。【００６２】
表示部１１０に表示された質問について、入力部１０６を用いて利用者が選択する形で質問に対する回答をステップ５にて入力すると、ステップ６にて記録データが記録データ作成部１０５によって作成される。この記録データは、入力部１０６にて入力された回答と、撮影部１０４にて撮影された写真のデータとが紐付けられたデータである。また、このとき時間認識部１１３にて認識された時刻や、位置認識部１１２にて認識された位置情報に関しても紐付けられて記録データが作成されても良い。なお、回答したい選択肢が存在しない場合、入力部１０６は、テキスト形式で文章の入力が可能であるものであっても良い。【００６３】
その後、記録データ作成部１０５にて作成された記録データが、ステップ７にて記録データベース１０２に格納される。
（第２の実施の形態）
また、利用者のスケジュールを予め登録しておき、登録されたスケジュールに基づいて利用者の状況が推定される形態も考えられる。【００６４】
図６は、本発明のデータ記録システムの第２の実施の形態を示す図である。【００６５】
本形態は図６に示すように、図２に示した第１の実施の形態に、利用者のスケジュールを記憶するスケジュール記憶部１１５が設けられている。例えば、スケジュール記憶部１１５に１０時から１２時の間は会議に出席するというスケジュールが記憶されている場合、時間認識部１１３にて認識された現在の時刻が１１時であれば、状況推定部１０８にて利用者の状況が会議中であると推定される。また、スケジュール記憶部１１５に１９時から２１時の間は飲み会に参加するというスケジュールが記憶されている場合、時間認識部１１３にて認識された現在の時刻が２０時であれば、状況推定部１０８にて利用者の状況が飲み会であると推定される。状況推定部１０８にて利用者の状況が推定された後については、第１の実施の形態にて説明した処理と同様の処理が行われる。
（第３の実施の形態）
また、データ記録システムが積極的にユーザに写真撮影を提案する方法も考えられる。【００６６】
図７は、本発明のデータ記録システムの第３の実施の形態を示す図である。【００６７】
本形態は図７に示すように、図２に示した第１の実施の形態に、本システムが撮影を提案する撮影提案部１１６と、撮影を提案するための情報が格納されている提案データベース１１７とが設けられている。【００６８】
図８は、図７に示した第３の実施の形態におけるデータ記録方法を説明するためのフローチャートである。【００６９】
状況推定部１０８によって、センサ部１０７にて認識された情報と状況推定データベース１１１に格納された利用者状況推定ルールリストとに基づいて端末１０１を所持する利用者の状況がステップ１１にて推定されると、推定された利用者状況に応じて撮影が必要かどうかがステップ１２にて撮影提案部１１６によって判断される。具体的には、撮影提案部１１６によって、提案データベース１１７が参照され、状況推定部１０８にて推定された現在の利用者の状況が、提案データベース１１７に格納された提案リストに挙げられているかどうかが判断される。【００７０】
図９は、図７に示した提案データベース１１７に予め格納された提案リストの一例を示す図である。【００７１】
図７に示した提案データベース１１７に格納された提案リストは図９に示すように、利用者の状況と提案内容とが対応付けられて格納されている。例えば、「昼休み」である利用者状況と「ご飯の写真を撮影してください。」という提案内容とが対応付けられている。また、「食事中」である利用者状況と「ご飯の写真を撮影してください。」及び「お店の写真を撮影してください。」という提案内容とが対応付けられている。また、「飲み会」である利用者状況と「ご飯の写真を撮影してください。」及び「お店の写真を撮影してください。」という提案内容とが対応付けられている。また、「買い物中」である利用者状況と「購入したものの写真を撮影してください。」及び「お店の写真を撮影してください。」という提案内容とが対応付けられている。さらに、「観光中」である利用者状況と「風景の写真を撮影してください。」という提案内容とが対応付けられている。【００７２】
撮影が必要と判断された場合、撮影提案部１１６によって提案データベース１１７から当該利用者状況と対応付けられた提案内容がステップ１３にて抽出される。図９に示した提案リストを例に挙げて説明すると、状況推定部１０８にて推定された現在の利用者の状況が「昼休み」である場合、提案データベース１１７に格納された提案リストの利用者状況に「昼休み」が挙げられているため、「昼休み」に対応付けられた提案内容である「ご飯の写真を撮影してください。」が抽出される。【００７３】
一方、撮影が不要と判断された場合は、何の処理も行われない。【００７４】
そして、抽出された提案内容が、ステップ１４にて表示部１１０に表示される。【００７５】
その後、撮影部１０４にて撮影が完了したかどうかがステップ１５にて判断され、撮影が完了したと判断された場合、撮影が必要と判断された際に推定された利用者状況に基づいてステップ１６にて質問抽出部１０９によって質問データベース１０３から質問が抽出される。利用者状況に基づいた質問の抽出方法は、第１の実施の形態にて説明した方法と同様である。【００７６】
質問抽出部１０９によって質問データベース１０３から質問が抽出されると、抽出された質問がステップ１７にて表示部１１０に表示される。【００７７】
表示部１１０に表示された質問について、入力部１０６を用いて利用者が選択する形で質問に対する回答をステップ１８にて入力すると、ステップ１９にて記録データが記録データ作成部１０５によって作成される。この記録データは、入力部１０６にて入力された回答と、撮影部１０４にて撮影された写真のデータとが紐付けられたデータである。また、このとき時間認識部１１３にて認識された時刻や、位置認識部１１２にて認識された位置情報に関しても紐付けられて記録データが作成されても良い。【００７８】
その後、記録データ作成部１０５にて作成された記録データが、ステップ２０にて記録データベース１０２に格納される。
【図１】
2007145008.tif 000003
【図２】
2007145008.tif 000004
【図３】
2007145008.tif 000005
【図４】
2007145008.tif 000006
【図５】
2007145008.tif 000007
【図６】
2007145008.tif 000008
【図７】
2007145008.tif 000009
【図８】
2007145008.tif 000010
【図９】
2007145008.tif 000011
【手続補正書】
【提出日】平成19年6月18日(2007.6.18)
【手続補正１】
【補正対象書類名】特許請求の範囲
【補正対象項目名】全文
【補正方法】変更
【補正の内容】
【特許請求の範囲】
【請求項１】
写真を撮影するための撮影部を有する端末と、該端末を所持する利用者への質問が格納された質問データベースとを有してなるデータ記録システムにおいて、
前記端末は、前記利用者の状況を推定するための情報が格納された状況推定データベースを有し、前記利用者が前記撮影部を用いて写真を撮影した際の状況を前記状況推定データベースに基づいて推定し、前記質問データベースから前記推定された状況に応じた選択形式の質問を抽出し、前記抽出された質問を表示し、前記表示された質問に対して前記利用者が入力した回答と前記写真とを対応付けて格納することを特徴とするデータ記録システム。
【請求項２】
請求項１に記載のデータ記録システムにおいて、
記録データベースを有し、
前記端末は、前記表示された質問に対して前記利用者が入力した回答と前記写真とを対応付けて記録データベースに格納することを特徴とするデータ記録システム。
【請求項３】
請求項１または請求項２に記載のデータ記録システムにおいて、
前記端末は、時間情報に基づいて、前記利用者が前記撮影部を用いて写真を撮影した際の状況を推定することを特徴とするデータ記録システム。
【請求項４】
請求項１または請求項２に記載のデータ記録システムにおいて、
前記端末は、前記利用者のスケジュール情報を予め記憶し、該スケジュール情報と時間情報とに基づいて、前記利用者が前記撮影部を用いて写真を撮影した際の状況を推定することを特徴とするデータ記録システム。
【請求項５】
請求項１乃至４のいずれか１項に記載のデータ記録システムにおいて、
前記端末は、該端末の位置情報に基づいて、前記利用者が前記撮影部を用いて写真を撮影した際の状況を推定することを特徴とするデータ記録システム。
【請求項６】
請求項５に記載のデータ記録システムにおいて、
前記端末は、ＧＰＳにより測定された位置情報に基づいて、前記利用者が前記撮影部を用いて写真を撮影した際の状況を推定することを特徴とするデータ記録システム。
【請求項７】
請求項５に記載のデータ記録システムにおいて、
前記端末は、該端末が通信を行う基地局情報によって算出された位置情報に基づいて、前記利用者が前記撮影部を用いて写真を撮影した際の状況を推定することを特徴とするデータ記録システム。
【請求項８】
請求項１乃至４のいずれか１項に記載のデータ記録システムにおいて、
前記端末は、ＲＦタグを有し、該ＲＦタグに書き込まれた情報に基づいて、前記利用者が前記撮影部を用いて写真を撮影した際の状況を推定することを特徴とするデータ記録システム。
【請求項９】
請求項１乃至８のいずれか１項に記載のデータ記録システムにおいて、
前記端末は、前記写真が撮影された直後に前記質問を表示することを特徴とするデータ記録システム。
【請求項１０】
請求項１乃至９のいずれか１項に記載のデータ記録システムにおいて、
前記端末は、前記利用者が音声によって回答を入力した場合、当該音声が入力される音声入力部を有することを特徴とするデータ記録システム。
【請求項１１】
請求項１乃至１０のいずれか１項に記載のデータ記録システムにおいて、
前記端末は、前記利用者の状況を推定し、前記推定された状況に基づいて前記撮影部によって写真を撮影する旨を提案することを特徴とするデータ記録システム。
【請求項１２】
請求項１乃至１１のいずれか１項に記載のデータ記録システムにおいて、
前記端末は、前記質問データベースを有することを特徴とするデータ記録システム。
【請求項１３】
利用者への質問が格納された質問データベースに接続可能に構成され、写真を撮影するための撮影部を有する端末であって、
前記利用者の状況を推定するための情報が格納された状況推定データベースを有し、前記利用者が前記撮影部を用いて写真を撮影した際の状況を前記状況推定データベースに基づいて推定し、前記質問データベースから前記推定された状況に応じた選択形式の質問を抽出し、前記抽出された質問を表示し、前記表示された質問に対して前記利用者が入力した回答と前記写真とを対応付けて格納する端末。
【請求項１４】
請求項１３に記載の端末において、
時間情報に基づいて、前記利用者が前記撮影部を用いて写真を撮影した際の状況を推定することを特徴とする端末。
【請求項１５】
請求項１３に記載の端末において、
前記利用者のスケジュール情報を予め記憶し、該スケジュール情報と時間情報とに基づいて、前記利用者が前記撮影部を用いて写真を撮影した際の状況を推定することを特徴とする端末。
【請求項１６】
請求項１３乃至１５のいずれか１項に記載の端末において、
該端末の位置情報に基づいて、前記利用者が前記撮影部を用いて写真を撮影した際の状況を推定することを特徴とする端末。
【請求項１７】
請求項１６に記載の端末において、
ＧＰＳにより測定された位置情報に基づいて、前記利用者が前記撮影部を用いて写真を撮影した際の状況を推定することを特徴とする端末。
【請求項１８】
請求項１６に記載の端末において、
該端末が通信を行う基地局情報によって算出された位置情報に基づいて、前記利用者が前記撮影部を用いて写真を撮影した際の状況を推定することを特徴とする端末。
【請求項１９】
請求項１３乃至１５のいずれか１項に記載の端末において、
ＲＦタグを有し、該ＲＦタグに書き込まれた情報に基づいて、前記利用者が前記撮影部を用いて写真を撮影した際の状況を推定することを特徴とする端末。
【請求項２０】
請求項１３乃至１９のいずれか１項に記載の端末において、
前記写真が撮影された直後に前記質問を表示することを特徴とする端末。
【請求項２１】
請求項１３乃至２０いずれか１項に記載の端末において、
前記利用者が音声によって回答を入力した場合、当該音声が入力される音声入力部を有することを特徴とする端末。
【請求項２２】
請求項１３乃至２１いずれか１項に記載の端末において、
前記利用者の状況を推定し、前記推定された状況に基づいて前記撮影部によって写真を撮影する旨を提案することを特徴とする端末。
【請求項２３】
請求項１３乃至２２いずれか１項に記載の端末において、
前記質問データベースを有することを特徴とする端末。
【請求項２４】
写真を撮影するための撮影部を有する端末と、該端末を所持する利用者への質問が格納された質問データベースとを有してなるデータ記録システムにおけるデータ記録方法であって、
前記端末が、前記利用者が前記撮影部を用いて写真を撮影した際の状況を推定する処理と、
前記端末が、前記質問データベースから前記推定された状況に応じた選択形式の質問を抽出する処理と、
前記端末が、前記抽出された質問を表示する処理と、
前記端末が、前記表示された質問に対して前記利用者が入力した回答と前記写真とを対応付けて格納する処理とを有するデータ記録方法。
【請求項２５】
請求項２４に記載のデータ記録方法において、
前記端末が、時間情報に基づいて、前記利用者が前記撮影部を用いて写真を撮影した際の状況を推定する処理を有することを特徴とするデータ記録方法。
【請求項２６】
請求項２４に記載のデータ記録方法において、
前記端末が、予め記憶された前記利用者のスケジュール情報と時間情報とに基づいて、前記利用者が前記撮影部を用いて写真を撮影した際の状況を推定する処理を有することを特徴とするデータ記録方法。
【請求項２７】
請求項２４乃至２６のいずれか１項に記載のデータ記録方法において、
前記端末が、該端末の位置情報に基づいて、前記利用者が前記撮影部を用いて写真を撮影した際の状況を推定する処理を有することを特徴とするデータ記録方法。
【請求項２８】
請求項１に記載のデータ記録システムにおいて、
前記端末は、前記推定された状況に応じた前記利用者の主観情報を引き出す質問を前記質問データベースから抽出することを特徴とするデータ記録システム。
【手続補正２】
【補正対象書類名】明細書
【補正対象項目名】００１０
【補正方法】変更
【補正の内容】
【００１０】
者状況は買い物中であると推定される。また、位置認識部１１２にて、端末１０１の現在の居場所が飲食店内であると認識された場合、位置情報が飲食店内である推定ルールと食事中である利用者状況とが対応付けられているため、利用者状況は食事中であると推定される。また、ＲＦタグ１１４にＲＦタグ１１４を利用して食券を購入した情報が書き込まれている場合、ＲＦタグを利用して食券を購入という推定ルールと食事中である利用者状況とが対応付けられているため、利用者状況は食事中であると推定される。また、ＲＦタグ１１４にＲＦタグ１１４を利用して電車の乗車券を購入した情報が書き込まれている場合、ＲＦタグを利用して電車に乗車という推定ルールと電車移動中である利用者状況とが対応付けられているため、利用者状況は電車にて移動中であると推定される。
［００５７］
そして、推定された利用者状況に基づいて質問抽出部１０９によって質問データベース１０３から質問がステップ３にて抽出される。
［００５８］
図５は、図２に示した質問データベース１０３に予め格納された質問リストの一例を示す図である。なお、図２に示した質問データベース１０３に予め格納された質問リストは選択形式である。
［００５９］
図２に示した質問データベース１０３に格納された質問リストは図５に示すように、利用者状況と質問である回答選択肢とがそれぞれ対応付けられている。例えば、状況推定部１０８にて推定された利用者状況が昼休みである場合の質問は、昼休みである利用者状況に対応付けられた「おいしい？」、「まずい？」及び「楽しい？」の選択形式の質問が抽出される。また、状況推定部１０８にて推定された利用者状況が食事中である場合の質問は、食事中である利用者状況に対応付けられた「おいしい？」、「まずい？」及び「きれい？」の選択形式の質問が抽出される。また、状況推定部１０８にて推定された利用者状況が就寝中である場合の質問は、就寝中である利用者状況に対応付けられた「よく眠れた？」及び「眠れない？」の選択形式の質問が抽出される。また、状況推定部１０８にて推定された利用者状況が観光中である場合の質問は、観光中である利用者状況に対応付けられた「楽しい？」、「退屈？」、「きれい？」及び「もう一度来たい？」の選択形式の質問が抽出される。ここで、上述した質問データベース１０３から抽出される選択形式の質問である「おいしい？」、「まずい？」、「楽しい？」等の質問を利用者の主観情報を引き出す質問と定義する。
［００６０］
ここで、選択形式とは、抽出された複数の質問のうち、１つあるいは複数を選択して
【国際調査報告】
2007145008.tif 000012
2007145008.tif 000013